(57)【要約】  【課題】液体の吐出性と液体漏れ防止と先端部材の乾燥抑止とをそれぞれ十分に満足できるようにする。  【解決手段】液体貯溜室１０が構成されたケーシングＫ内に、液体貯溜室１０よりも先端部材４０側において、毛細管現象を有する液体吸蔵部材３０が配設される。液体吸蔵部材３０は、液体貯溜室１０側となる後側部分３０ａでもって液体貯溜室１０の先端部材４０側の開口部１２を塞いでいる。液体吸蔵部材３０は、後側部分３０ａが圧縮状態とされて、後側部分３０ａの密度が先端部材４０側となる前側部分３０ｂの密度に比して高くされている。先端部材４０に連なる液体誘導部材５０が、液体吸蔵部材３０のうち後側部分３０ａ内に位置するが、液体貯溜室１０には露出しないようにされる。【選択図】  図１
2010089383.tif 000002
【特許請求の範囲】
【請求項１】
液体貯溜室内の液体を毛細管現象によって先端部材まで供給するようにした直液式器具であって、
前記液体貯溜室が構成されたケーシング内に、該液体貯溜室よりも前記先端部材側において、毛細管現象を有する液体吸蔵部材が配設され、
前記液体吸蔵部材は、前記液体貯溜室側となる後側部分でもって前記液体貯溜室の前記先端部材側の開口部を塞いでおり、
前記液体吸蔵部材は、前記後側部分が圧縮状態とされて、該後側部分の密度が前記先端部材側となる前側部分の密度に比して高くされており、
前記先端部材と前記液体吸蔵部材とが、毛細管現象を有する液体誘導部材によって連結され、
前記液体誘導部材は、前記液体吸蔵部材のうち前記後側部分内に位置するが、前記液体貯溜室には露出しないようにされている、
ことを特徴とする直液式器具。
【請求項２】
請求項１において、
前記ケーシング内に、該液体貯溜室よりも前記先端部材側において、該液体貯溜室と連通されると共に前記液体吸蔵部材が配設された中間室が形成され、
前記中間室のうち前記液体貯溜室側となる後室部分が、前記先端部材側となる前室部分に対して縮径された小径部とされ、
前記液体吸蔵部材は、前記小径部に位置する後側部分が圧縮されていることによって、該小径部よりも前記先端部材側に位置する前側部分に比して密度が高くされている、
ことを特徴とする直液式器具。
【請求項３】
請求項１または請求項２において、
前記液体吸蔵部材が、疎水性の繊維によって長手方向に連続した気孔を有する棒状繊維束として構成され、
前記棒状繊維束の気孔率が、前記中間室に挿入される前の自由状態では７５〜９０％とされ、
前記棒状繊維束のうち前記小径部に挿入されて圧縮状態とされた前記後端部分の気孔率が、前記自由状態のときの気孔率に比して５〜１５％減少されている、
ことを特徴とする直液式器具。
【請求項４】
請求項１ないし請求項３のいずれか１項において、
前記液体貯溜室が、前記ケーシング内に配設されると共に前記先端部材側が開口された有底筒状のカートリッジによって構成され、
前記液体吸蔵部材のうち前記後側部分によって、前記カートリッジの開口部が施蓋されている、
ことを特徴とする直液式器具。
【請求項５】
請求項１ないし請求項４のいずれか１項において、
前記液体吸蔵部材のうち前記前側部分の外周面が、前記ケーシングの内周面から離間されている、ことを特徴とする直液式器具。
【請求項６】
請求項２において、
前記ケーシングに、前記液体貯溜室と前記中間室とを隔てる隔壁が形成され、
前記隔壁に、前記液体貯溜室と中間室とを連通する連通口が形成され、
前記液体貯溜室内の液体が、前記連通口を介して、前記液体吸蔵部材のうち前記小径部に位置する前記後側部分に供給される、
ことを特徴とする直液式器具。
【請求項７】
請求項１ないし請求項６のいずれか１項において、
前記先端部材が、毛細管現象を有する部材によって形成され、
前記液体誘導部材が、前記先端部材と一体成形されている、
ことを特徴とする直液式器具。
【請求項８】
請求項１ないし請求項７のいずれか１項において、
液体がインキとされ、前記先端部材が筆記具用に設定され、しかも前記ケーシングが手指で把持できるように細長く形成された直液式筆記具である、ことを特徴とする直液式器具。
【発明の詳細な説明】
【技術分野】
【０００１】
本発明は、直液式とされた筆記具や化粧具等の直液式器具に関するものである。
【背景技術】
【０００２】
直液式器具、例えば直液式の筆記具においては、液体としてのインキを極力多量に貯溜するという観点から、インキを液体状態のまま直接インキ貯溜室に貯溜することが多く採用されている。この場合、インキ貯溜室からペン先となる先端部材へのインキ供給を、毛細管現象を利用して行うことも採用されている。特許文献１には、インキ貯溜室の隣に、毛細管現象を有するインキ吸蔵体を配設して、先端部材に連なる細長いインキ誘導部材を、上記インキ吸蔵体を貫通させて、インキ貯溜室まで延設したものが開示されている。また、特許文献１には、インキ吸蔵体のうちインキ貯溜室側の端部を小径となるように圧縮して、この圧縮部分の毛細管現象を高めるということも開示されている。
【特許文献１】特許第３９１７２９３号公報
【発明の開示】
【発明が解決しようとする課題】
【０００３】
ところで、直液式器具においては、先端部材からのインキの十分な吐出性と、気温や気圧の変動に起因するインキ漏れの防止と、先端部材を上向き等にした状態で長時間放置しても先端部材が乾燥しないようにする乾燥抑止性能を十分に満足させる必要がある。
【０００４】
しかしながら、特許文献１に記載のものでは、先端部材から伸びる細長いインキ誘導部材が、インキ吸蔵体を貫通してインキ貯溜室にまで達している（露出している）ことから、インキの吐出性や先端部材の乾燥抑止の点では好ましい反面、気温や気圧の変化さらには衝撃等化によって、インキ貯溜室内のインキがインキ誘導体を介して先端部材へ到達してしまい、インキ漏れという事態が生じやすいものとなる。すなわち、特許文献１に記載のものでは、インキ吸蔵体がインキ誘導体の長手方向の一部を外周から覆っているだけなので、インキ漏れという観点からはさらに改善の余地があるものである。さらに詳述すると、特許文献１におけるインキ吸蔵体は、いわゆる蛇腹として機能するだけで、その長手方向において密度を変更することによって、インキ貯溜室に近い部分のインキ吸蔵能力をペン先に近い部分のインキ吸蔵能力よりも高めたという程度のものとなっている。
【０００５】
本発明は以上のような事情を勘案してなされたもので、その目的は、液体の吐出性と液体漏れ防止と先端部材の乾燥抑止とをそれぞれ十分に満足できるようにした直液式器具を提供することにある。
【課題を解決するための手段】
【０００６】
前記目的を達成するため、本発明にあっては、基本的に、毛細管現象を有する部材にあっては、密度が高い部分から密度の低い部分へは液体が実質的に浸透（移動）しない、という原理を利用するようにしてある。具体的には、本発明にあっては、次のような解決手法を採択してある。すなわち、特許請求の範囲における請求項１に記載のように、
液体貯溜室内の液体を毛細管現象によって先端部材まで供給するようにした直液式器具であって、
前記液体貯溜室が構成されたケーシング内に、該液体貯溜室よりも前記先端部材側において、毛細管現象を有する液体吸蔵部材が配設され、
前記液体吸蔵部材は、前記液体貯溜室側となる後側部分でもって前記液体貯溜室の前記先端部材側の開口部を塞いでおり、
前記液体吸蔵部材は、前記後側部分が圧縮状態とされて、該後側部分の密度が前記先端部材側となる前側部分の密度に比して高くされており、
前記先端部材と前記液体吸蔵部材とが、毛細管現象を有する液体誘導部材によって連結され、
前記液体誘導部材は、前記液体吸蔵部材のうち前記後側部分内に位置するが、前記液体貯溜室には露出しないようにされている、
ようにしてある。
【０００７】
上記解決手法によれば、液体吸蔵部材は、圧縮された後側部分の密度が、先端部材側となる前側部分の密度よりも高くされていることにより、液体貯溜室内の液体は、液体吸蔵部材のうち、密度の高い後側部分には毛細管現象によって容易に達するものの、密度の高い後側部分から密度の低い前側部分には達しないものとなる。そして、液体貯溜室内の液体は、液体吸蔵部材の後側部分から、液体誘導部材を経て、先端部材へと供給されて、液体の十分な吐出性を確保することができる。また、先端部材を上向き等の状態で長時間放置しても、液体吸蔵部材の後側部分に吸蔵されている液体が先端部材に供給されて、先端部材の乾燥も十分に抑制されることになる。さらに、気温や気圧の変動あるいは振動を受けて、液体貯溜室内の液体が外部へ漏れ出ようとしても、漏れ出ようとする液体は、液体吸蔵部材の前側部分で吸収されて、外部へ漏れ出ることも確実に防止されることになる。このように、液体吸蔵部材は、その後側部分が、液体貯溜室に常時臨む栓体となってその内部の液体を常時吸蔵していて先端部材へのいわば中間の液体供給源として機能し、その前側部分が、いわゆる蛇腹の機能を果たして液体の漏れ防止の機能を行うことになる。このように、液体吸蔵部材が、上記のような２つの機能を果たすことによって、吐出性と乾燥抑止と漏れ防止とをそれぞれ十分に満足させることができる。
【０００８】
上記解決手法を前提とした好ましい態様は、特許請求の範囲における請求項２以下に記載のとおりである。すなわち、
前記ケーシング内に、該液体貯溜室よりも前記先端部材側において、該液体貯溜室と連通されると共に前記液体吸蔵部材が配設された中間室が形成され、
前記中間室のうち前記液体貯溜室側となる後室部分が、前記先端部材側となる前室部分に対して縮径された小径部とされ、
前記液体吸蔵部材は、前記小径部に位置する後側部分が圧縮されていることによって、該小径部よりも前記先端部材側に位置する前側部分に比して密度が高くされている、
ようにしてある（請求項２対応）。この場合、液体吸蔵部材が配設されるスペースに小径部を形成して、この小径部によって液体吸蔵部材の後側部分を確実に所望の圧縮状態とすることができる。
【０００９】
前記液体吸蔵部材が、疎水性の繊維によって長手方向に連続した気孔を有する棒状繊維束として構成され、
前記棒状繊維束の気孔率が、前記中間室に挿入される前の自由状態では７５〜９０％とされ、
前記棒状繊維束のうち前記小径部に挿入されて圧縮状態とされた前記後端部分の気孔率が、前記自由状態のときの気孔率に比して５〜１５％減少されている、
ようにしてある（請求項３対応）。この場合、液体吸蔵部材の好ましい設定が提供される。
【００１０】
前記液体貯溜室が、前記ケーシング内に配設されると共に前記先端部材側が開口された有底筒状のカートリッジによって構成され、
前記液体吸蔵部材のうち前記後側部分によって、前記カートリッジの開口部が施蓋されている、
ようにしてある（請求項４対応）。この場合、カートリッジを利用して、ケーシング内に液体貯溜室を簡単に形成することができる。また、カートリッジの開口部を液体吸蔵部材で施蓋するので、例えばあらかじめ液体が充填されたカートリッジの開口部を液体吸蔵部材で施蓋しておくことにより、このカートリッジと液体吸蔵部材との組立体を容易にケーシング内に組み込むことも可能となる。
【００１１】
前記液体吸蔵部材のうち前記前側部分の外周面が、前記ケーシングの内周面から離間されている、ようにしてある（請求項５対応）。この場合、液体吸蔵部材の前側部分の外周面とケーシング内周面との間に毛細管現象を有する微少隙間が形成されないようにして、液体吸蔵部材の後側部分に吸蔵されている液体が前側部分へ不用意に移動してしまう事態をより確実に防止する上で好ましいものとなる。
【００１２】
前記ケーシングに、前記液体貯溜室と前記中間室とを隔てる隔壁が形成され、
前記隔壁に、前記液体貯溜室と中間室とを連通する連通口が形成され、
前記液体貯溜室内の液体が、前記連通口を介して、前記液体吸蔵部材のうち前記小径部に位置する前記後側部分に供給される、
ようにしてある（請求項６対応）。この場合、液体吸蔵部材を中間室側からケーシング内に挿入する際に、液体吸蔵部材が隔壁に当接するまで行えばよく、液体吸蔵部材の位置決めを簡単に行うことができる。また、液体貯溜室内の液体を、連通口を介して、液体吸蔵部材の後側部分へ確実に供給することができる。
【００１３】
前記先端部材が、毛細管現象を有する部材によって形成され、
前記液体誘導部材が、前記先端部材と一体成形されている、
ようにしてある（請求項７対応）。この場合、先端部材と液体誘導部材とを一体成形して、製造の容易化や部品点数削減等の上で好ましいものとなる。
【００１４】
液体がインキとされ、前記先端部材が筆記具用に設定され、しかも前記ケーシングが手指で把持できるように細長く形成された直液式筆記具である、ようにしてある（請求項８対応）。この場合、インキの吐出性と漏れ防止と乾燥抑止とをそれぞれ十分に満足させた直液式筆記具が提供される。
【発明の効果】
【００１５】
本発明によれば、液体の吐出性と漏れ防止と乾燥抑止とをそれぞれ十分に満足させることができる。
【発明を実施するための最良の形態】
【００１６】
図１は、直液式の筆記具に本発明を適用した場合の一例を示し、図中１は本体ケーシングである。本体ケーシング１は、細長い筒状に形成されている。この本体ケーシング１の後端は開口されていて、この後端の開口は、本体ケーシング１に固定された蓋部材２によって密閉されている。また、本体ケーシング１の前端も開口されており、この前端の開口部には、先端ケーシング３が固定されている。
【００１７】
本体ケーシング１と蓋部材２と先端ケーシング３とによって、ケーシングＫが構成される。なお、実施形態では、本体ケーシング１、蓋部材２、先端ケーシング３はそれぞれ合成樹脂によって形成されているが、金属製にする等、適宜の材質によって構成することができ、また材質を互いに相違させることもできる。勿論、ケーシングＫは、２分割あるいは４分割以上の分割構成とすることもでき、また一体ものとして構成することもできる。
【００１８】
ケーシングＫ（本体ケーシング１）には、長手方向略中間部において、隔壁１１が形成されている。そして、ケーシングＫ内は、隔壁１１を境にして、その後端部（図１中下端部）側において液体貯溜室１０が形成され、その前端部側において中間室２０が形成されている。隔壁１１に、２つの室１０と２０とを連通する連通口１２が形成されている。なお、連通口１２は、大きな１つの開口とする場合に限らず、多数の小孔を集合させたものであってもよい。
【００１９】
液体貯溜室１０内には、液体としてのインキが貯溜されている。また、中間室２０には、液体吸蔵部材３０が配設されている。先端ケーシング３の先端部には、先端部材４０が位置される。この先端部材４０には、その後方に向けて長く伸びる液体誘導部材５０が一体成形されている。そして、液体誘導部材５０の後端部が、液体吸蔵部材３０内に位置されている。先端部材４０と液体誘導部材５０とは、例えばフェルト等の毛細管現象を有する部材によって形成されている。勿論、先端部材４０の形状は、筆記用に適した形状とされ、実施形態ではいわゆるサインペンの形状に設定されている。なお、先端部材４０は、先端ケーシング３に対して着脱自在に嵌合されるキャップ５によって覆われている。なお、実施形態では、本体ケーシング１のうち少なくとも液体貯溜室１０を構成する部分が透明あるいは半透明とされて、内部の液体の残量が外部から目視によって容易に確認できるようにされている。
【００２０】
液体吸蔵部材３０は、疎水性の繊維を束ねることによって棒状繊維束として構成されている。具体的には、例えば、ポリプロピレン短繊維に低融点化した複合ポリプロピレン繊維を３％〜２０％（好ましくは５％〜１５％）混綿したものを加熱することにより、繊維の接触部同士が互いに融着された構成とされて、軸方向に連続した気孔を有して、毛細管現象を有するものとなっている。そして、このような棒状繊維束から構成された液体吸蔵部材３０は、その自由状態（外力が作用しない状態）では、その外径が全長に渡って均一とされている（断面円形）。また、液体吸蔵部材３０の気孔率は、７５〜９０％とされて、全長に渡って均一とされている。
【００２１】
前記中間室２０のうち、液体貯溜室１０側となる後室部分２０ａの内径が、先端部材４０側となる前室部分２０ｂの内径よりも小さくされた小径部とされている。液体吸蔵部材３０は、その外径が、自由状態では上記前室部分２０ｂの内径よりも若干小径に形成されている(前室部分２０ｂの内壁と接触しないようにするのが好ましい）。そして、後室部分２０ａと前室部分２０ｂとの境界部位は、後室部分２０ｂに向けて徐々に細径となるテーパ面２０ｃとされている。
【００２２】
液体吸蔵部材３０は、前室部分２０ｂ側から後室部分２０ａ側に向けて中間室２０内に挿入されて、隔壁１１に当接する位置まで挿入される。挿入の際、テーパ面２０ｃによって、液体吸蔵部材３０を後室部分２０ａにスムーズに挿入することができる。この挿入によって、液体吸蔵部材３０は、後室部分２０ａでは圧縮されて小径の後側部分３０ａとされ、前室部分２０ｂでは事実上圧縮されない大径の前側部分３０ｂとされる。そして、液体吸蔵部材３０の後側部分３０ａの気孔率は、自由状態での気孔率（つまり前側部分３０ｂの気孔率）に対して、５〜１５減少される。このように、液体吸蔵部材３０は、その後側部分３０ｂが、前側部分３０ｂに比して高密度とされる。
【００２３】
液体誘導部材５０の後端部は、液体吸蔵部材３０の前側部分３０ｂ内を貫通して、後側部分３０ａ内にまで達している。ただし、液体誘導部材５０は、液体貯溜室１０（連通口１２を含む）には達しないようにされて、液体貯溜室１０内の液体が、液体吸蔵部材３０を介することなく直接供給されないように設定されている。
【００２４】
ここで、実施形態では、中間室２０のうち前室部分２０ｂの内径が例えば８φとされ、後室部分２０ａの内径が例えば６φとされ、連通口１２の内径が例えば４φとされている。また、液体吸蔵部材３０のうち前側部分２０ｂの気孔率が例えば８７％とされ、また後側部分２０ａの気孔率が例えば７６％とされている。連通口１２の内径は、液体貯溜室２０内の液体をスムーズに液体吸蔵部材３０（の後側部分３０ａ）に供給できるような大きさであればよいが、液体吸蔵部材３０の後側部分３０ａの外径よりも小さく設定するのが好ましく、例えば、図３に示すように、中間室２０の前室部分２０ｂの内径が大きくなるほど大きくなるように設定することができる（後側部分３０ａの外径は、連通口１２の内径よりも大きく、かつ前側部分３０ｂの外径よりも小さくなるように設定される）。また、液体吸蔵部材３０の前側部分３０ｂの外径は、前室部分２０ｂの内径よりも若干小さくなるように設定して、前側部分３０ｂの外周面と前室部分２０ｂの内周面との間に比較的大きな隙間を形成することが、この部分に毛細管現象を有する極小隙間が形成されないようにする上で好ましいものとなる（後側部分３０ｂから前側部分３０ａに向けての液体の移動をより確実に阻止）。
【００２５】
図２は、図１に示す直液式筆記具の分解図であり、その組立は、例えば次のようにして行われる。まず、蓋部材２によって下端部が施蓋された状態の本体ケーシング１が上向とされて、その上方から液体貯溜室１０内に液体が供給される。次いで、液体吸蔵部材３０が、上方から、隔壁１１に当接する状態となるまで本体ケーシング１内に挿入される。この挿入の際に、液体吸蔵部材３０のうち中間室２０の後室部分２０ａに位置される後側部分３０ａが縮径されて圧縮された状態とされて、その気孔率が減少されることになる。
【００２６】
本体ケーシング１の上端部に対して、先端ケーシング３が嵌合、固定される。この後、先端部材４０と一体成形された液体誘導部材５０が、先端ケーシング３の先端開口部３ａを通して挿入される。この液体誘導部材５０の挿入は、先端部材４０が先端ケーシング３の先端面に当接するまで行われ、この当接状態では、液体誘導部材５０の後端部が、液体吸蔵部材３０の後側部分３０ａに到達する状態とされる（ただし、連通口１２や液体貯溜室１０には達しない）。なお、液体誘導部材５０をあらかじめ先端ケーシング３の先端開口部３ａを挿入した状態で、先端ケーシング３を本体ケーシング１に嵌合、固定しつつ、液体誘導部材５０を液体吸蔵部材３０内に挿入するようにしてもよい。
【００２７】
以上のように構成された直液式の筆記具にあっては、液体貯溜室１０内の液体（実施形態ではインキ）は、連通口１２を介して液体吸蔵部材３０の後側部分３０ａに吸蔵される。後側部分３０ａは、連通口１２を介して液体貯溜室１０と常時連通されているため、後側部分３０ａに常に液体が吸蔵された状態が確保される。
【００２８】
後側部分３０ａの密度が、前側部分３０ｂの密度よりも高いために、後側部分３０ａに吸蔵された液体は、気温や気圧の大きな変化や大きな衝撃を受けない限り、前側部分３０ａに移動することが実質的に生じない。この後側部分３０ａに吸蔵された液体が、液体誘導部材５０を介して、先端部材４０に供給されることになる。先端部材４０は、液体誘導部材５０を介して、常時液体を吸蔵した後側部分３０ａと接続されているため、先端部材４０からの液体の吐出性が十分に確保されることになる。また、上向き状態（図１の状態）で、キャップ５を取外したまま長時間放置されても、後側部分３０ａに吸蔵されている液体が液体誘導部材５０を介して先端部材４０に供給されて、先端部材４０が乾燥してしまう事態も防止されることになる。
【００２９】
気温や気圧の大きな変化があったり、あるいは大きな衝撃が作用したとき、液体貯溜室１０内の液体が外部つまり先端部材４０側へ漏れ出ようとする場合がある。この場合、液体吸蔵部材３０のうち前側部分３０ｂが漏れ出ようとする液体を吸蔵して、ケーシングＫの外部へ液体が漏れ出てしまう事態が確実に防止されることになる。
【００３０】
このように、液体吸蔵部材３０は、その後側部分３０ａが、液体貯溜室１０内の液体を吸蔵して、先端部材４０へ液体を供給する中間の液体供給源としての機能を果たすことになる。また、液体吸蔵部材３０の前側部分３０ｂは、外部へ漏れ出ようとする液体を吸蔵するいわゆる蛇腹の機能を果たすことになる。液体吸蔵部材３０を構成する棒状繊維束は、疎水性の繊維によって構成されているため、繊維自体が液体を吸蔵することがなく、その気孔部分に液体が入り込むだけであり、液体の外部への漏れ防止としての機能（蛇腹機能）は十分である。このような液体吸蔵部材３０によって、先端部材４０からの液体の十分な吐出性と、先端部材の乾燥防止（乾燥抑止）と、液体の外部への漏れ防止とがそれぞれ極めて高い次元で満足されることなる。なお、中間室２０は、例えば先端ケーシング３に形成された呼吸孔３ｂを介して大気と連通されて、この中間室２０は、液体吸蔵部材３０（の気孔）を介して液体貯溜室１０と空気交換される。
【００３１】
図４、図５は、本発明の第２の実施形態を示すもので、前記実施形態と同一構成要素には同一符合を付して、その重複した説明は省略する（このことは、以下のさらに別の実施形態のいても同じ）。本実施形態では、先端部材４０Ｂ（前記実施形態における先端部材４０に対応）と液体誘導部材５０Ｂ（前記実施形態における液体誘導部材４０に対応）とを別体に形成して、嵌合形式でもって互いに連結されたものとなっている。なお、本実施形態における先端部材４０Ｂは、筆ペンのペン先とされている。
【００３２】
特に図５から明かなように、液体吸蔵部材３０には、液体誘導部材５０が挿入される挿入孔３０ｃをあらかじめ形成するようにしてある。この場合、液体吸蔵部材３０と液体誘導部材５０との密着性を十分に確保するために、挿入孔３０ｃの内径を、液体誘導部材５０の外径よりもわずかに小さく形成しておくのが好ましい。また、挿入孔３０ｃを、その後端側が閉じられた有底形状としておくことにより、組立作業時における液体誘導部材５０の挿入深さの確認や、液体誘導部材５０を不用意に液体貯溜室１０側へ露出させないようにする上で（液体誘導部材５０と液体貯溜室１０との間に確実に液体吸蔵部材３０の後側部分３０ａが位置するように設定する上で）好ましいものとなる。
【００３３】
図６は、本発明の第３の実施形態を示すものである。本実施形態では、蓋部材２を、本体ケーシング１に対してねじ式で着脱自在に固定されるようにして液体貯溜室１０の後端部を外部に開放できるようにしてある。また、連通口１２の周縁部に、液体貯溜室１０内に向けて突出する円環状の嵌合取付部１３を形成してある。そして、この嵌合取付部１３に、カートリッッジ６０（インキカートリッジ）を嵌合、固定するようにしてある。本実施形態では、カートリッッジ６０内の液体が消費されたときに、新たなカートリッッジ６０と取り替えられるようにしてある。なお、カートリッジ６０およびその周囲に位置する本体ケーシング１は、透明あるいは半透明とされて、内部の液体の量を外部から容易に確認できるようにされている。
【００３４】
図７は、本発明の第４の実施形態を示すものである。本実施形態では、ケーシングＫ内に挿入されるカートリッジ６０によって液体貯溜室１０を構成する点において、図６の場合と同様とされている。ただし、本実施形態では、カートリッジ６０の開口部を、液体吸蔵部材３０によって施蓋するようにしてある。すなわち、カートリッジ６０のうち先端部材４０側において開口された開口部６０ａ内に、円環状のリング部材７０を圧入して一体化して、このリング部材７０によってカートリッジ６０の実質的な開口縁部を構成するようにしてある。そして、液体吸蔵部材３０の後側部分３０ａを、圧縮状態でもってリング部材７０内に挿入するようにしてある（リング部材７０が、中間室２０の小径部とされた後室部分２０ａを実質的に構成している）。勿論、液体吸蔵部材３０の前側部分３０ｂは、非圧縮状態とされている。なお、リング部材７０は、そのフランジ部７０ａがカートリッジ６０の開口端面に当接することにより、所定以上深くカートリッジ６０内に挿入されることが規制されている。
【００３５】
また、本実施形態では、先端部材４０と液体誘導部材５０との一体成形品は、その先端部と後端部とを先細に形成する点を除いて、その全長に渡って同一径の棒状とされている。そして、先端部材４０と液体誘導部材５０との一体成形品の外周には、円筒状の筒部材７５が配設されている。この筒部材７５の後端は、液体吸蔵部材３０の前端面に当接するように位置され、その前端は、先端ケーシング３の先端から突出されて、先端部材４０の基端部周囲を覆っている。なお、本実施形態では、液体吸蔵部材材３０に、液体誘導部材５０が挿入される挿入孔（図５における挿入孔３０ｃに対応）が形成されていて、先端部材４０と液体誘導部材５０との一体成形品を、ケーシングＫの組立後に、先端ケーシング３の先端開口部３ａを通してケーシングＫ内に挿入（液体誘導部材５０の後端部を液体吸蔵部材３０内）に挿入することが可能となっている。なお、カートリッジ６０およびその周囲に位置する本体ケーシング１は、透明あるいは半透明とされて、内部の液体の量を外部から容易に確認できるようにされている。
【００３６】
図７のような直液式の筆記具を組立てるに際しては、例えば、あらかじめカートリッジ６０とリング部材７０と液体吸蔵部材３０とを組み立てておき、この組立体を本体ケーシング１内に挿入した後、先端ケーシング３を本体ケーシング１に取付けることができる。なお、リング部材７０の後端部に、液体吸蔵部材３０が所定以上液体貯溜室１０に向けて移動しないように、径方向に間隔をあけて径方向内方側に突出する規制用突起部を形成するようにしてもよい。また、リング部材７０を別途有しないように設定して、液体吸蔵部材３０によってカートリッジ３０の開口部を直接塞ぐこともできる（この場合は、液体吸蔵部材３０の自由状態における外径を、カートリッジ６０の内径よりも大きくしておけばよい）。
【００３７】
図８、図９は、本発明の第５の実施形態を示すもので、液体吸蔵部材３０の好ましい設定例を示す。すなわち、本実施形態における液体吸蔵部材３０は、液体誘導部材５０の後端部が挿入される挿入孔３０ｃが、自由状態では、その全長に渡って伸びるように、つまり挿入孔３０ｃが液体吸蔵部材３０を貫通するように形成してある。これにより、挿入孔３０ｃを有する液体吸蔵部材３０を容易に形成する上で好ましいものとなる。そして、液体吸蔵部材３０の後側部分３０ａが縮径されて圧縮されたとき、この圧縮された部分の挿入孔３０ｃが潰れて、実質的に後側部分３０ａには挿入孔３０ｃが存在しないようにされている。
【００３８】
挿入孔３０ｃ内に挿入された液体誘導部材５０の後端部は、圧縮された後側部分３０ａに位置されることになる。つまり、挿入孔３０ｃは、液体誘導部材５０が挿入された状態では、液体誘導部材５０よりも後方部分つまり液体貯溜室１０側部分が潰れた状態となる一方、後側部分３０ａに位置する液体誘導部材５０は、圧縮作用を受けて後側部分３０ａと十分に密着されることになる。
【００３９】
以上実施形態について説明したが、本発明は、実施形態に限定されるものではなく、特許請求の範囲の記載された範囲において適宜の変更が可能であり、例えば次のような場合をも含むものである。本発明における直液式器具は、筆記具に限らず、適宜の器具においても適用し得るものである。例えば、直液式化粧具（液体貯溜室１０内に化粧用液体を充填したもの）、直液式洗浄具（液体貯溜室１０内に洗浄用液体を充填したもので、例えば光りファイバの連結コネクタの清掃用）、直液式消毒具（液体貯溜室１０内に消毒用の液体を充填したもの）、直液式薬液具（液体貯溜室１０内に薬液を充填したもの）、直液式塗装具（液体貯溜室１０内に補修用の塗料液を充填したもの）等、液体貯溜室内の液体を毛細管現象を利用して先端部材に供給する適宜の形式のものに適用できる。中間室２０は、液体吸蔵部材３０を収納できる限り、適宜の形状、大きさに設定することができる。
【００４０】
液体吸蔵部材３０としては、既述の棒状繊維束に限らず、例えばフェルトの樹脂加工体、フェルトのニードルパンチ加工体、合成樹脂の連続気泡体等を適宜用いることができる。また、液体誘導部材５０としては、軸方向に液体導出路を備えるものであればよく、例えば、繊維束の樹脂加工体、繊維束の熱融着加工体、軸方向の液体誘導路を有する合成樹脂の押し出し成形体または射出成形体等、適宜のものを用いることができる。先端部材４０としては、液体（インキ）を紙面に吐出可能なものであれば適宜のものを用いることができ、例えば、繊維束の樹脂加工体、繊維束の熱融着加工体、フェルト加工体、合成樹脂の連続気泡体、合成樹脂の押し出し成形体、ボールペンチップ、万年筆型板状ペン先、細管状ペン体等、適宜のものを用いることができる。勿論、本発明の目的は、明記されたものに限らず、実質的に好ましいあるいは利点として表現されたものを提供することをも暗黙的に含むものであり、また本発明は直液式器具の製造方法（組立方法）としても把握し得るものである。
【図面の簡単な説明】
【００４１】
【図１】本発明を直液式の筆記具に適用した場合の実施形態を示す断面図。
【図２】図１に示す直液式筆記具の分解断面図。
【図３】連通口の好ましい内径の設定例を示す図。
【図４】本発明の第の２実施形態を示す要部断面図。
【図５】図４に示す液体吸蔵部材を示す断面図。
【図６】本発明の第３の実施形態を示す要部断面図。
【図７】本発明の第４の実施形態を示す要部断面図。
【図８】本発明の第５の実施形態を示す要部断面図。
【図９】図８の状態から、後側部分が圧縮された状態を示す要部断面図。
【符号の説明】
【００４２】
Ｋ：ケーシング
１：本体ケーシング
２：蓋部材
３：先端ケーシング
５：キャップ
１０：液体貯溜室
１１：隔壁
１２：連通口
２０：中間室
２０ａ：後室部分
２０ｂ前室部分
２０ｃ：テーパ面
３０：液体吸蔵部材
３０ａ：後側部分
３０ｂ：前側部分
３０ｃ：挿入孔
４０：先端部材
５０：液体誘導部材
４０Ｂ：先端部材
５０Ｂ：液体誘導部材
６０：カートリッジ
【図１】
2010089383.tif 000003
【図２】
2010089383.tif 000004
【図３】
2010089383.tif 000005
【図４】
2010089383.tif 000006
【図５】
2010089383.tif 000007
【図６】
2010089383.tif 000008
【図７】
2010089383.tif 000009
【図８】
2010089383.tif 000010
【図９】
2010089383.tif 000011